(57)【特許請求の範囲】
【請求項１】
部屋に設置された機器を携帯端末で自動制御する機器制御システムであって、
前記部屋に設置された電気器具を動作させるためのスイッチを匡体に収納した配線器具であって、前記部屋の出入口付近に設けられ、ビーコン信号を送信するビーコン送信部を有する配線器具と、
前記携帯端末が前記ビーコン送信部から送信されたビーコン信号を受信すると、前記携帯端末が前記機器を制御するための制御信号を無線通信で送信するように、前記携帯端末を制御する携帯制御部と、
前記ビーコン送信部が、前記電気器具の動作状態に依存する識別情報を含むビーコン信号を送信するように、前記ビーコン送信部を制御する制御部とを備え、
前記携帯制御部は、前記識別情報を含むビーコン信号を受信すると、前記ビーコン信号に含まれる前記識別情報に予め対応づけられた制御信号を前記携帯端末が無線通信で送信するように、前記携帯端末を制御する
機器制御システム。
【請求項２】
部屋に設置された機器を携帯端末で自動制御する機器制御システムであって、
前記部屋に設置された電気器具を動作させるためのスイッチを匡体に収納した配線器具であって、前記部屋の出入口付近に設けられ、ビーコン信号を送信するビーコン送信部を有する配線器具と、
前記携帯端末が前記ビーコン送信部から送信されたビーコン信号を受信すると、前記携帯端末が前記機器を制御するための制御信号を無線通信で送信するように、前記携帯端末を制御する携帯制御部と、
前記スイッチの状態に依存して前記ビーコン送信部が前記ビーコン信号を送信するように、前記ビーコン送信部を制御する制御部とを備え、
前記スイッチは、人による操作によって、選択的に、前記電気器具を動作させるオン状態、及び、前記電気器具の動作を停止させるオフ状態となり、
前記制御部は、前記スイッチが前記オン状態及び前記オフ状態のうちの予め定められた一方になっている場合にのみ、前記ビーコン送信部が前記ビーコン信号を送信するように、前記ビーコン送信部を制御する
機器制御システム。
【請求項３】
前記携帯端末は、前記制御信号を前記配線器具に送信し、
前記制御部は、さらに、前記携帯端末から送信された前記制御信号を受信すると、受信した前記制御信号に基づいて前記機器を制御する
請求項１又は２記載の機器制御システム。
【請求項４】
前記携帯制御部は、前記携帯端末に対応づけられたユーザ識別情報を含む前記制御信号を無線通信で送信するように、前記携帯端末を制御し、
前記機器制御システムは、さらに、前記携帯端末から送信された前記ユーザ識別情報を受信するコントローラを備え、
前記コントローラは、画面を有し、受信した前記ユーザ識別情報に依存する内容の画像を前記画面に表示する
請求項１又は２記載の機器制御システム。
【発明の詳細な説明】
【技術分野】
【０００１】
本発明は、機器制御システムに関し、特に、部屋に設置された機器を携帯端末で自動制御する、位置特定技術を利用した機器制御システムに関する。
【背景技術】
【０００２】
従来、部屋に設置された機器を携帯端末で自動制御（人手による操作を必要としない制御を）する、位置特定技術を利用した機器制御システムとして、様々な技術が提案されている（特許文献１参照）。
【０００３】
特許文献１では、無線ＬＡＮのアクセスポイントが一定の時間間隔で発信するビーコン信号を無線受信装置で受信し、無線受信装置で検出された情報に基づいて電子機器を制御する情報通信システムが開示されている。
【先行技術文献】
【特許文献】
【０００４】
【特許文献１】特開２０１１−２３４２５０号公報
【発明の概要】
【発明が解決しようとする課題】
【０００５】
しかしながら、特許文献１の技術では、部屋に設置された機器を携帯端末で自動制御するには、部屋ごとに無線ＬＡＮのアクセスポイントを設置する必要がある。そのために、特許文献１の技術では、コスト及び消費電力が高くなってしまうという問題がある。
【０００６】
そこで、本発明は、このような問題を解決するためになされたものであり、従来よりもコスト及び消費電力が抑制された機器制御システムを提供することを目的とする。
【課題を解決するための手段】
【０００７】
上記目的を達成するために、本発明に係る機器制御システムの一態様は、部屋に設置された機器を携帯端末で自動制御する機器制御システムであって、前記部屋に設置された電気器具を動作させるためのスイッチを匡体に収納した配線器具であって、前記部屋の出入口付近に設けられ、ビーコン信号を送信するビーコン送信部を有する配線器具と、前記携帯端末が前記ビーコン送信部から送信されたビーコン信号を受信すると、前記携帯端末が前記機器を制御するための制御信号を無線通信で送信するように、前記携帯端末を制御する携帯制御部と、前記ビーコン送信部が、前記電気器具の動作状態に依存する識別情報を含むビーコン信号を送信するように、前記ビーコン送信部を制御する制御部とを備え、前記携帯制御部は、前記識別情報を含むビーコン信号を受信すると、前記ビーコン信号に含まれる前記識別情報に予め対応づけられた制御信号を前記携帯端末が無線通信で送信するように、前記携帯端末を制御する。
【０００８】
また、上記目的を達成するために、本発明に係る機器制御システムの他の一態様は、部屋に設置された機器を携帯端末で自動制御する機器制御システムであって、前記部屋に設置された電気器具を動作させるためのスイッチを匡体に収納した配線器具であって、前記部屋の出入口付近に設けられ、ビーコン信号を送信するビーコン送信部を有する配線器具と、前記携帯端末が前記ビーコン送信部から送信されたビーコン信号を受信すると、前記携帯端末が前記機器を制御するための制御信号を無線通信で送信するように、前記携帯端末を制御する携帯制御部と、前記スイッチの状態に依存して前記ビーコン送信部が前記ビーコン信号を送信するように、前記ビーコン送信部を制御する制御部とを備え、前記スイッチは、人による操作によって、選択的に、前記電気器具を動作させるオン状態、及び、前記電気器具の動作を停止させるオフ状態となり、前記制御部は、前記スイッチが前記オン状態及び前記オフ状態のうちの予め定められた一方になっている場合にのみ、前記ビーコン送信部が前記ビーコン信号を送信するように、前記ビーコン送信部を制御する。
【発明の効果】
【０００９】
本発明によれば、従来よりもコスト及び消費電力が抑制された機器制御システムの構築を可能にする配線器具及びその配線器具を用いた機器制御システムが実現される。
【図面の簡単な説明】
【００１０】
【図１】本発明の実施の形態１における機器制御システムの構成を示すブロック図
【図２】本発明の実施の形態１における機器制御システムの運用状況を示す図
【図３】図１に示された配線器具の構成を示すブロック図
【図４】本発明の実施の形態１における機器制御システムの基本動作を示す通信シーケンス図
【図５】図４に示される通信シーケンスにおける配線器具の詳細な動作を示すフローチャート
【図６Ａ】図４に示される通信シーケンスにおける携帯端末が保持する制御テーブルの一例を示す図
【図６Ｂ】図４に示される通信シーケンスにおける携帯端末の詳細な動作を示すフローチャート
【図７】省電力モードでビーコン信号を送信する配線器具の動作例を示すフローチャート
【図８Ａ】本発明の実施の形態１の変形例に係る配線器具の構成を示すブロック図
【図８Ｂ】本発明の実施の形態１の変形例に係る機器制御システムの基本動作を示す通信シーケンス図
【図９】本発明の実施の形態２における機器制御システムの構成を示すブロック図
【図１０】本発明の実施の形態２におけるコントローラの構成を示すブロック図
【図１１】本発明の実施の形態２における機器制御システムの基本動作を示す通信シーケンス図
【図１２】本発明の実施の形態２におけるコントローラの画面での表示例を示す図
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
まず、本発明の実施の形態１における機器制御システムについて説明する。
【００１４】
図１は、本発明の実施の形態１における機器制御システム１０の構成を示すブロック図である。図２は、本実施の形態における機器制御システム１０の運用状況を示す図である。
【００１５】
本実施の形態における機器制御システム１０は、部屋１５に設置された機器２２を携帯端末２８で自動制御する、位置特定技術を利用したシステムである。この機器制御システム１０は、図１に示されるように、無線ルータ２０、機器２２、配線器具２４、電気器具２６、及び、携帯端末２８とから構成される。
【００１６】
無線ルータ２０は、携帯端末２８と機器２２とを無線ＬＡＮで接続する中継装置である。
【００１７】
機器２２は、携帯端末２８によって自動制御される対象となる機器であり、例えば、部屋１５に設置されたエアコン、照明器具等である。
【００１８】
配線器具２４は、低圧電路（６００Ｖ以下の交流電路又は７５０Ｖ以下の直流電路）の配線に接続されるスイッチ又はコンセントを匡体に収納した器具であり、部屋１５の出入口付近（出入口１６に近い部屋１５の壁）に設けられている。本実施の形態では、配線器具２４は、部屋１５に設置された電気器具２６を動作させるためのスイッチを匡体に収納した器具であり、部屋１５の出入口付近の壁に埋め込んで固定されている。この配線器具２４は、特徴的な機能として、ビーコン信号の送信機能を有する。
【００１９】
なお、「出入口付近」とは、出入口１６に近い箇所であり、出入口１６に近い、部屋１５の外側の壁及び部屋１５の内側の壁を含む空間である。より限定的には、「出入口付近」は、出入口１６にいる人１７が手を伸ばして届く範囲内であり、出入口１６から２ｍ程度の範囲内の空間を意味する。また、ビーコン信号は、低消費電力の近距離無線通信で用いられる信号であり、配線器具２４に対応づけられた識別情報であるビーコンＩＤを含む信号である。本実施の形態では、ビーコン信号は、例えば、ＢＬＥ（Ｂｌｕｅｔｏｏｔｈ（登録商標）  Ｌｏｗ  Ｅｎｅｒｇｙ）を用いたｉＢｅａｃｏｎ（商標）に準拠した無線信号である。
【００２０】
電気器具２６は、配線器具２４によって制御される機器であり、例えば、照明器具等である。
【００２１】
携帯端末２８は、部屋１５に入室する人１７が所持する無線通信機器であり、例えば、スマートフォン、タブレット端末等の無線通信の機能を有する携帯型の情報処理装置である。この携帯端末２８は、内蔵のプロセッサがアプリケーション（プログラム）を実行すること（携帯制御部）によって、配線器具２４から送信されたビーコン信号を受信すると機器２２を制御するための制御信号（つまり、情報）を無線通信で送信する。なお、携帯制御部とは、アプリケーションに相当し、より詳しくは、携帯端末２８に内蔵されたプロセッサがアプリケーションを実行することで実現される機能である。
【００２２】
図３は、図１に示された配線器具２４の構成を示すブロック図である。配線器具２４は、スイッチ３０、状態表示部３１、記憶部３２、制御部３３、電気器具Ｉ／Ｆ（インターフェイス）３４、及び、ビーコン送信部３５を備える。
【００２３】
スイッチ３０は、部屋１５に設置される照明器具等の電気器具２６を動作させるためのスイッチであり、人による操作によって、選択的に、電気器具２６を動作させるオン状態、及び、電気器具２６の動作を停止させるオフ状態となる。たとえば、スイッチ３０は、壁に埋め込まれる埋込型の壁スイッチである。
【００２４】
状態表示部３１は、スイッチ３０の状態（オン状態及びオフ状態）を示す表示部であり、例えば、制御部３３による制御の下で、スイッチ３０がオフ状態のときに点灯するホタルランプ（ＬＥＤ等）である。
【００２５】
記憶部３２は、データを記憶するメモリである。
【００２６】
電気器具Ｉ／Ｆ３４は、制御部３３と電気器具２６とを接続するためのインターフェイスであり、具体的には、制御部３３による制御の下で、電気器具２６の動作を制御したり、電気器具２６の動作状態を読み出したりする。
【００２７】
ビーコン送信部３５は、ビーコン信号を送信する回路であり、本実施の形態では、制御部３３による制御の下で、ＢＬＥに準拠した低消費電力の近距離無線通信によって、一定の時間間隔で、配線器具２４に対応づけられたビーコンＩＤを含むビーコン信号を送信する。
【００２８】
制御部３３は、配線器具２４の動作を制御するコントローラであり、制御プログラムを保持する不揮発性のメモリ、その制御プログラムを実行するプロセッサ、他の構成要素と接続される入出力ポート等を有する。
【００２９】
この制御部３３は、主要な制御として、スイッチ３０からの操作指示に応じて、状態表示部３１及び電気器具２６を制御する。たとえば、制御部３３は、スイッチ３０の状態（オン状態又はオフ状態）を検知し、スイッチ３０がオン状態である場合には、電気器具Ｉ／Ｆ３４を介して電気器具２６を動作させるための信号又は電力を送るとともに、状態表示部３１を消灯させる。一方、スイッチ３０がオフ状態である場合には、制御部３３は、電気器具Ｉ／Ｆ３４を介して電気器具２６の動作を停止させる信号を送る、又は、電気器具２６への電力供給を停止するとともに、状態表示部３１を点灯させる。また、制御部３３は、他の主要な制御として、ビーコン送信部３５が、電気器具２６の動作状態に依存する識別情報（ビーコンＩＤ）を含むビーコン信号を送信するように、ビーコン送信部３５を制御する。
【００３０】
次に、以上のように構成された本実施の形態における機器制御システム１０の動作について説明する。
【００３１】
図４は、本実施の形態における機器制御システム１０の基本動作を示す通信シーケンス図である。ここでは、電気器具２６、配線器具２４、携帯端末２８、無線ルータ２０、及び、機器２２間の通信のやりとりが示されている。
【００３２】
配線器具２４は、電気器具２６の動作状態を読み出し（Ｓ１０）、読み出した動作状態に依存するビーコンＩＤを含むビーコン信号を送信する（Ｓ１１）。このような動作状態の読み出し及びビーコン信号の送信は、一定の時間間隔（例えば、１秒間隔）で行なわれる。
【００３３】
いま、携帯端末２８を所持する人１７が部屋１５の出入口１６から入室したとする。すると、携帯端末２８は、配線器具２４から送信されたビーコン信号を受信し、機器２２を制御するための制御信号を、無線ルータ２０を介して機器２２に向けて送信する（Ｓ１２）。その結果、携帯端末２８からの制御信号は、無線ルータ２０を介して機器２２に届けられ（Ｓ１３）、機器２２が制御信号に基づいて自動制御される。
【００３４】
図５は、図４に示される通信シーケンスにおける配線器具２４の詳細な動作を示すフローチャートである。
【００３５】
配線器具２４では、制御部３３は、電気器具Ｉ／Ｆ３４を介して、電気器具２６の動作状態を読み出す（Ｓ２０）。そして、制御部３３は、読み出した動作状態に対応するビーコンＩＤを特定し（Ｓ２１）、特定したビーコンＩＤを含むビーコン信号を送信するように、ビーコン送信部３５を制御する（Ｓ２２）。
【００３６】
たとえば、制御部３３は、電気器具２６の動作状態を読み出した結果、電気器具２６が動作している場合には、配線器具２４に対応づけられた第１のビーコンＩＤ（例えば、００１０）を含むビーコン信号を送信するように、ビーコン送信部３５を制御する。一方、電気器具２６が動作していない場合に、制御部３３は、配線器具２４に対応づけられた第２のビーコンＩＤ（例えば、００１１）を含むビーコン信号を送信するように、ビーコン送信部３５を制御する。
【００３７】
図６Ａ及び図６Ｂは、図４に示された通信シーケンスにおける携帯端末２８の詳細な動作を説明するための図である。より詳しくは、図６Ａは、携帯端末２８が保持する制御テーブルの一例を示す。制御テーブルとは、携帯端末２８が受信したビーコンＩＤと、携帯端末２８が機器２２に送信する制御信号（ここでは、機器２２の「通信アドレス」及び「動作」）の内容とを対応づけた情報テーブルであり、携帯端末２８において編集され得る。図６Ｂは、携帯端末２８の詳細な動作を示すフローチャートである。なお、図６Ａ及び図６Ｂに示される携帯端末２８の動作は、携帯端末２８で実行されるアプリケーション（携帯制御部）によって規定される。
【００３８】
図６Ｂに示されるように、携帯端末２８は、配線器具２４から送信されたビーコン信号を受信したか否かを監視している（Ｓ３０）。ビーコン信号を受信した場合には（Ｓ３０でＹｅｓ）、携帯端末２８は、内蔵の制御テーブル（図６Ａ参照）を参照することにより（Ｓ３１）、受信したビーコン信号に含まれるビーコンＩＤに対応する制御信号を特定する。そして、携帯端末２８は、特定した制御信号を機器２２に向けて送信する（Ｓ３２）。
【００３９】
図６Ａに示される制御テーブルの例では、携帯端末２８は、ビーコンＩＤが「００１１」（電気器具２６が動作していない状態）を示す場合に、機器２２（通信アドレス「１２３４」）に向けて、「電源ＯＮ」の動作状態にさせる制御信号を送信する。これにより、たとえば、携帯端末２８を所持する人１７が部屋１５に入室すると、携帯端末２８における事前の設定に応じて、自動的に、部屋１５に設置されたエアコン等の機器２２に電源が投入される。
【００４０】
なお、図６Ａの制御テーブルでは、ビーコンＩＤが「００１０」（電気器具２６が動作している状態）に対応する動作が登録されていないので、携帯端末２８は、ビーコンＩＤとして「００１０」を受信した場合には、制御信号を送ることをしない。
【００４１】
以上のように、本実施の形態における機器制御システム１０によれば、携帯端末２８を所持する人１７が部屋１５に入室すると、携帯端末２８において配線器具２４からのビーコン信号が検知されて機器２２に制御信号が送信され、機器２２が自動制御される。
【００４２】
また、本実施の形態によれば、部屋１５の出入口付近に設けられた配線器具２４からビーコン信号が送信されるので、低消費電力の近距離無線通信を用いて、携帯端末２８を所持する人１７の部屋１５への入室が検知される。よって、部屋ごとに無線ＬＡＮのアクセスポイントを設置することが必要とされる従来技術に比べ、コスト及び消費電力が抑制された機器制御システム１０が構築される。
【００４３】
また、本実施の形態によれば、ビーコン信号に含まれるビーコンＩＤによって電気器具２６の動作状態が携帯端末２８に伝えられ、携帯端末２８から、ビーコンＩＤに依存する制御信号が機器２２に送信される。これにより、電気器具２６の動作状態に依存する多様な機器制御が可能になる。
【００４４】
なお、上記実施の形態では、配線器具２４から一定の時間間隔でビーコン信号が送信されたが、このような送信形態に限られない。一定の条件が満たされた場合にだけビーコン信号を送信する省電力モードでビーコン信号が送信されてもよい。たとえば、配線器具２４の制御部３３は、スイッチ３０がオン状態及びオフ状態のうちの予め定められた一方になっている場合にのみ、ビーコン送信部３５がビーコン信号を送信するように、ビーコン送信部３５を制御してもよい。
【００４５】
図７は、このような省電力モードでビーコン信号を送信する配線器具２４の動作例を示すフローチャートである。ここでは、配線器具２４の制御部３３は、スイッチ３０がオフ状態であるか否かを監視しており（Ｓ４０）、オフ状態である場合にだけ（Ｓ４０でＹｅｓ）、ビーコン信号を送信するようにビーコン送信部３５を制御する（Ｓ４１）。
【００４６】
これにより、スイッチ３０がオン状態及びオフ状態のうちの予め定められた一方になっている場合にのみビーコン信号が送信されるので、配線器具２４の消費電力がさらに抑制される。
【００４７】
また、上記実施の形態では、携帯端末２８が直接、機器２２を制御したが、配線器具２４を介して、機器２２（又は、電気器具２６）が制御されてもよい。
【００４８】
図８Ａは、携帯端末から送信された制御信号が配線器具を介して機器（又は、電気器具）に送信される、上記実施の形態の変形例に係る配線器具２４ａの構成を示すブロック図である。
【００４９】
この変形例に係る配線器具２４ａは、図３に示される上記実施の形態における配線器具２４の構成と比較して分かるように、上記実施の形態における配線器具２４の構成に、通信ネットワークＩ／Ｆ３６を追加した構成を備える。
【００５０】
通信ネットワークＩ／Ｆ３６は、無線ルータ２０を介して、無線ＬＡＮによって携帯端末２８及び機器２２と通信するインターフェイスである。
【００５１】
制御部３３は、上記実施の形態における機能に加えて、携帯端末２８から送信された制御信号を、無線ルータ２０を介して受信すると、受信した制御信号に基づいて、機器２２及び電気器具２６を制御する。
【００５２】
図８Ｂは、本変形例に係る配線器具２４ａを含む機器制御システムの動作を示す通信シーケンス図である。携帯端末２８は、部屋１５の出入口１６の近くで、配線器具２４ａからのビーコン信号を受信する（Ｓ５０）。すると、携帯端末２８は、内蔵の制御テーブルを参照し、受信したビーコン信号に含まれるビーコンＩＤに従って、機器２２又は電気器具２６の通信アドレスと動作とを指定する制御信号を、無線ルータ２０を介して配線器具２４ａに送信する（Ｓ５１、Ｓ５２）。
【００５３】
携帯端末２８から送られてきた制御信号を、通信ネットワークＩ／Ｆ３６を介して受信した配線器具２４ａの制御部３３は、受信した制御信号に含まれる通信アドレスを確認する。その結果、制御信号に含まれる通信アドレスが機器２２の通信アドレスである場合には、制御部３３は、その制御信号を、通信ネットワークＩ／Ｆ３６及び無線ルータ２０を介して、機器２２に送信する（Ｓ５３ａ、Ｓ５４）。一方、制御信号に含まれる通信アドレスが電気器具２６の通信アドレスである場合には、制御部３３は、その制御信号を、電気器具Ｉ／Ｆ３４を介して、電気器具２６に送信する（Ｓ５３ｂ）。
【００５４】
これにより、配線器具２４ａが機器制御システムのコントローラとなって、位置特定技術を利用した、機器２２及び電気器具２６の自動制御が実現される。
【００５５】
（実施の形態２）
次に、本発明の実施の形態２における機器制御システムについて説明する。
【００５６】
図９は、本発明の実施の形態２における機器制御システム１１の構成を示すブロック図である。本実施の形態では、実施の形態１の機器制御システム１０の構成に、コントローラ４０が追加されている。
【００５７】
コントローラ４０は、この機器制御システム１１における制御装置であり、携帯端末２８から送信された制御信号（ここでは、情報）を、無線ルータ２０を介して受信し、受信した制御信号（情報）に従って、無線ルータ２０を介して機器２２を制御する。本実施の形態では、携帯端末２８から送信される制御信号（情報）に、携帯端末２８に予め設定されたユーザＩＤ（ユーザ識別情報）が含まれている。コントローラ４０は、画面を有し、携帯端末２８から受信した制御信号（情報）に含まれるユーザＩＤに依存する内容の画像を画面に表示する機能を有する。
【００５８】
図１０は、本実施の形態におけるコントローラ４０の構成を示すブロック図である。コントローラ４０は、入力部４１、記憶部４２、制御部４３、通信ネットワークＩ／Ｆ４４、及び、画面４５を備える。
【００５９】
入力部４１は、ユーザから指示を受け付けるボタン等である。
【００６０】
記憶部４２は、データを記憶するメモリである。
【００６１】
通信ネットワークＩ／Ｆ４４は、無線ルータ２０を介して、無線ＬＡＮによって携帯端末２８及び機器２２と通信するインターフェイスである。
【００６２】
画面４５は、画像を表示するディスプレイであり、例えば、ＬＣＤパネル等である。
【００６３】
制御部４３は、コントローラ４０の動作を制御する回路であり、制御プログラムを保持する不揮発性のメモリ、その制御プログラムを実行するプロセッサ、他の構成要素と接続される入出力ポート等を有する。この制御部４３は、主要な制御として、携帯端末２８から制御信号（情報）を受信すると、受信した制御信号（情報）に含まれるユーザＩＤに依存する内容の画像を画面４５に表示したり、受信した制御信号（情報）に従って、無線ルータ２０を介して機器２２を制御したりする。
【００６４】
図１１は、本実施の形態における機器制御システム１１の基本動作を示す通信シーケンス図である。なお、本図では、携帯端末２８、コントローラ４０、及び、機器２２間の無線通信を中継する無線ルータ２０、並びに、電気器具２６の図示が省略され、配線器具２４、携帯端末２８、コントローラ４０、及び、機器２２間の通信のやりとりだけが示されている。
【００６５】
配線器具２４は、予め設定されたビーコンＩＤ、又は、電気器具２６の動作状態に依存するビーコンＩＤを含むビーコン信号を一定の時間間隔で送信する（Ｓ６０）。
【００６６】
いま、携帯端末２８を所持する人１７が部屋１５の出入口１６から入室したとする。すると、携帯端末２８は、配線器具２４から送信されたビーコン信号を受信し、受信したビーコン信号に含まれるビーコンＩＤと、携帯端末２８に予め設定されたユーザＩＤとを含む制御信号（情報）を、無線ルータ２０を介してコントローラ４０に送信する（Ｓ６１）。
【００６７】
その制御信号（情報）を受信したコントローラ４０は、受信した制御信号（情報）に含まれるユーザＩＤに依存する内容の画像を画面４５に表示する（Ｓ６２）。具体的には、コントローラ４０の制御部４３は、通信ネットワークＩ／Ｆ４４を介して携帯端末２８から制御信号（情報）を受信すると、受信した制御信号（情報）に含まれるユーザＩＤを特定し、特定したユーザＩＤに対応する画像を画面４５に表示する。制御部４３は、ユーザＩＤと表示させる画像とを対応づけた制御テーブルを記憶しており、その制御テーブルを参照することで、受信したユーザＩＤに対応した画像を画面４５に表示する。
【００６８】
図１２は、コントローラ４０の画面４５での表示例を示す図である。ここでは、携帯端末２８から送信された制御信号（情報）に含まれていたユーザＩＤ（「１２３４」）及びビーコンＩＤ（「００１１」）と、機器２２の制御に関するメッセージ（「機器の電源をオンしますか？  Ｙｅｓ／Ｎｏ」）が画面４５に表示されている。このようなメッセージに対して、ユーザが入力部４１で「Ｙｅｓ」を指示（「Ｙｅｓ」に対応するボタンを押下）すると、制御部４３は、その指示に従って、無線ルータ２０を介して、機器２２を動作させるための制御信号を機器２２に送信する（Ｓ６３）。これによって、機器２２は、コントローラ４０からの制御信号により、自動制御される。
【００６９】
以上のように、本実施の形態における機器制御システム１１によれば、携帯端末２８を所持する人１７が部屋１５に入室すると、携帯端末２８において配線器具２４からのビーコン信号が検知され、ユーザＩＤを含む制御信号（情報）がコントローラ４０に送信される。そして、コントローラ４０の画面には、携帯端末２８から受信した制御信号（情報）に含まれるユーザＩＤに依存する内容の画像が表示される。よって、部屋１５に入室した人１７が所持する携帯端末２８に依存して自動的にコントローラ４０の画面表示が切り替わる。
【００７０】
なお、本実施の形態においても、部屋１５の出入口付近に設けられた配線器具２４からビーコン信号が送信されるので、低消費電力の近距離無線通信を用いて、携帯端末２８を所持する人１７が部屋１５に入室したことが検知される。よって、部屋ごとに無線ＬＡＮのアクセスポイントを設置することが必要とされる従来技術に比べ、コスト及び消費電力が抑制された機器制御システム１１が構築される点は、実施の形態１と同様である。
【００７１】
以上、本発明に係る配線器具について、実施の形態１、その変形例、及び、実施の形態２に基づいて説明したが、本発明は、これらの実施の形態及び変形例に限定されない。本発明の趣旨を逸脱しない限り、当業者が思いつく各種変形を本実施の形態又は変形例に施したものや、異なる実施の形態及び変形例における構成要素を組み合わせて構築される別の形態も、本発明の範囲内に含まれる。
【００７２】
たとえば、上記実施の形態では、配線器具２４は、部屋１５に設置された電気器具２６を動作させるためのスイッチ３０を有したが、部屋１５の外に設置された電気器具を動作させるためのスイッチを有してもよい。
【００７３】
また、上記実施の形態では、配線器具２４から、ＢＬＥに準拠したビーコン信号が送信されたが、ビーコン信号の種類としては、これに限られない。部屋１５の出入口付近から発射したビーコン信号が、出入口１６を通過する人１７が所持する携帯端末２８で受信できる限り、ビーコン信号は、低消費電力の近距離無線通信の信号であれば、赤外線通信等を含め、いかなる種類の信号であってもよい。
【００７４】
また、上記実施の形態では、配線器具２４は、一定の時間間隔でビーコン信号を送信したが、これに限られず、一日の時間帯によって送信の時間間隔を変えてもよいし、スイッチ３０の状態に応じて送信の時間間隔を変えてもよい。たとえば、スイッチ３０がオン状態のときに、スイッチ３０がオフ状態のときよりも長い時間間隔でビーコン信号を送信してもよい。これによって、人１７が出入口１６を通過する可能性が低い場合に、長い時間間隔でビーコン信号を送信することが可能となり、さらに省電力化が図られる。
【００７５】
また、上記実施の形態では、携帯端末２８が配線器具２４からビーコン信号を受信した場合に、携帯端末２８を所持した人１７が部屋１５に入室したと判断して自動制御が行われたが、このような制御に限られない。携帯端末２８が配線器具２４からのビーコン信号を受信した場合に、部屋１５から人１７が退室したと判断して自動制御が行われてもよいし、入室及び退室のいずれかがあったものとして自動制御が行われてもよい。
【００７６】
また、上記実施の形態では、電気器具２６は、照明器具等であったが、これに限られず、換気扇、エアコン等であってもよい。
【００７７】
また、上記実施の形態では、無線ＬＡＮの信号は、無線ルータ２０によって中継されたが、機器制御システムに無線ルータがなくてもよい。無線ＬＡＮによる通信機能を有する携帯端末２８、機器２２、配線器具２４ａ、及び、コントローラ４０が、無線ルータ２０を介さずに、直接、無線ＬＡＮ又は赤外線通信等で通信し合ってもよい。
【符号の説明】
【００７８】
１０、１１  機器制御システム
１５  部屋
１６  出入口
２２  機器
２４、２４ａ  配線器具
２６  電気器具
２８  携帯端末
３０  スイッチ
３３  制御部
３５  ビーコン送信部
４０  コントローラ
４５  画面
【図１】
0006459465.tif 000002
【図２】
0006459465.tif 000003
【図３】
0006459465.tif 000004
【図４】
0006459465.tif 000005
【図５】
0006459465.tif 000006
【図６Ａ】
0006459465.tif 000007
【図６Ｂ】
0006459465.tif 000008
【図７】
0006459465.tif 000009
【図８Ａ】
0006459465.tif 000010
【図８Ｂ】
0006459465.tif 000011
【図９】
0006459465.tif 000012
【図１０】
0006459465.tif 000013
【図１１】
0006459465.tif 000014
【図１２】
0006459465.tif 000015